(57)【要約】【課題】ＲＦ−ＩＤタグへの書き込みが失敗した場合にその確認が難しい為、書き込み成功品と失敗品とを敏速に区別する作業が出来ていなかった。【課題を解決するための手段】例えばラベルでは内蔵素子への書き込みが失敗したものはカッタによる切断間隔を変える、或いは剥離する等の方法で仕分け、カット紙等では別々な排紙トレイに出力する。【選択図】　　図１
2004070784.tif 000002
【特許請求の範囲】
【請求項１】
被記録媒体表面に画像を記録する記録手段と、被記録媒体に内蔵された素子に情報を書き込む書き込み手段と、
前記素子に書き込まれた情報を読み出す読み出し手段と、
前記書き込み手段の書き込みデータと前記読み出し手段で読み出されたデータを比較するデータ比較手段と、
前記比較手段による比較結果で不一致と出力された被記録媒体を仕分けする仕分け手段とを備える記録装置。
【請求項２】
前記仕分手段は、前記比較手段による比較結果で不一致と出力された被記録媒体の排紙先を変更することを特徴とする請求項１に記載の記録装置。
【請求項３】
ラベル表面に画像を記録する記録手段と、前記ラベルに内蔵された素子に情報を書き込む書き込み手段を有する記録装置において、
前記素子に書き込まれた情報を読み出す読み出し手段と、
前記書き込み手段の書き込みデータと前記読み出し手段で読み出されたデータを比較するデータ比較手段と前記比較手段による比較結果で不一致と出力されたラベルを仕分けする仕分け手段とを備えたことを特徴とする、記録装置。
【請求項４】
前記仕分け手段は前記ラベルの切断位置を変更することを特徴とする請求項３に記載の記録装置。
【請求項５】
前記仕分け手段は前記比較手段による比較結果で不一致と出力されたラベルを剥離することを特徴とする請求項３に記載の記録装置。
【請求項６】
前記仕分け手段は前記比較手段による比較結果で不一致と出力されたラベルを剥離しないことを特徴とする請求項３に記載の記録装置。
【請求項７】
台紙に貼り付けられたラベルに情報を記録する記録手段と、
被記録媒体に内蔵された素子に情報を書き込む書き込み手段と、
前記素子に書き込まれた情報を読み出す読み出し手段と、
前記書き込み手段の書き込みデータと前記読み出し手段で読み出されたデータを比較するデータ比較手段と、
前記比較手段による比較結果で不一致と出力されたラベルを前記台紙から剥がす手段とを備える記録装置。
【請求項８】
台紙に貼り付けられたラベルに情報を記録する記録手段と、
被記録媒体に内蔵された素子に情報を書き込む書き込み手段と、
前記素子に書き込まれた情報を読み出す読み出し手段と、
前記書き込み手段の書き込みデータと前記読み出し手段で読み出されたデータを比較するデータ比較手段と、
前記比較手段による比較結果で一致と出力されたラベルを前記台紙から剥がす手段とを備える記録装置。
【発明の詳細な説明】
【０００１】
【産業上の利用分野】
本発明は、画像を被記録媒体表面に記録する動作と、被記録媒体に内蔵された素子に情報の書き込み動作を並行して行なう記録装置に関する。
【０００２】
【従来の技術】
近年、半導体技術及び電子通信技術の発達により、非接触で情報を送受信可能なＲＦ−ＩＤ（Ｒａｄｉｏ　Ｆｒｅｑｕｅｎｃｙ　Ｉｄｅｎｔｉｆｉｃａｔｉｏｎ）と呼ばれる自動認識システムが開発されている。
【０００３】
ＲＦ−ＩＤシステムは、メモリを含む電子回路を搭載し、情報を保持するＲＦ−ＩＤタグとＲＦ−ＩＤタグをコントロールするＲＦ−ＩＤリーダ／ライタ等から構成される。
【０００４】
このＲＦ−ＩＤシステムの特徴として、データの新規書込み及び追記、複数のＲＦ−ＩＤタグとの同時通信が可能の他、障害物等の影響を受けにくいなどが挙げられる。
【０００５】
これらはバーコードや二次元コードなどの自動認識システムには無い機能を持っている。
【０００６】
これまでバーコードや二次元コードでは自動化が困難であった分野だけではなく、従来の自動認識システムで自動化が行われていた、物流・流通分野においても、その利便性から注目されている。
【０００７】
カードやラベルなどの用紙（記録媒体）に内蔵され、前記システムで使用するＲＦ−ＩＤタグは、記録媒体表面への記録とＲＦ−ＩＤタグへの情報の書き込みを行う必要があるが、近年は、これらの作業を別々の装置で分担するのではなく、記録装置にＲＦ−ＩＤタグへの書き込み機能を追加し、媒体表面への記録と、ＲＦ−ＩＤタグへの書き込みを一括して行なう記録装置を使用する。
【０００８】
この際、媒体であるカードやラベルは連続して給送されてくるため、記録装置内部では同時に複数枚の媒体表面への記録、及びＲＦ−ＩＤへの書き込みがなされる状態となっており、ＲＦ−ＩＤタグへの書き込みが失敗した場合にその確認が難しい為、書き込み成功品と失敗品とを敏速に区別する作業が出来ていなかった。
【０００９】
【発明が解決しようとする課題】
本発明は、被記録媒体表面への画像記録と内蔵された素子に情報の書き込みを並行して行い、もし情報の書き込みに失敗したものが発生した場合に成功品と区別できる記録装置の提供を目的とする。
【００１０】
【課題を解決するための手段】
上記目的を達成するために本発明は為され、以下の各手段を実施した。
【００１１】
上記目的を達成するために本発明は、被記録媒体表面に画像を記録する記録手段と、被記録媒体に内蔵された素子に情報を書き込む書き込み手段と、前記素子に書き込まれた情報を読み出す読み出し手段と、前記書き込み手段の書き込みデータと前記読み出し手段で読み出されたデータを比較するデータ比較手段と、前記比較手段による比較結果で不一致と出力された被記録媒体を仕分けする仕分け手段とを備える。
【００１２】
上記目的を達成するために本発明は、仕分手段は、前記比較手段による比較結果で不一致と出力された被記録媒体の排紙先を変更することを特徴とする。
【００１３】
上記目的を達成するために本発明は、ラベル表面に画像を記録する記録手段と、前記ラベルに内蔵された素子に情報を書き込む書き込み手段を有する記録装置において、前記素子に書き込まれた情報を読み出す読み出し手段と、前記書き込み手段の書き込みデータと前記読み出し手段で読み出されたデータを比較するデータ比較手段と前記比較手段による比較結果で不一致と出力されたラベルを仕分けする仕分け手段とを備えたことを特徴とする。
【００１４】
上記目的を達成するために本発明は、仕分け手段とは前記ラベルの切断位置を変更することを特徴とする。
【００１５】
上記目的を達成するために本発明は、仕分け手段とは前記比較手段による比較結果で不一致と出力されたラベルを剥離することを特徴とする。
【００１６】
上記目的を達成するために本発明は、仕分け手段とは前記比較手段による比較
結果で不一致と出力されたラベルを剥離しないことを特徴とする。
【作用】
本発明によれば、被記録媒体に内蔵したＲＦ−ＩＤタグ等へのデータ書き込み状態により、正常に書き込まれたものと失敗品との区別を容易に行なうことができ、目視にて確認することのできないデータ書き込み失敗品が誤って使用されることを未然に防止できる。
【００１７】
【実施例】
以下、図面を参照して本発明の実施例について詳細に説明する。
【００１８】
（第１の実施例）
本発明を実施した記録装置と切断装置（以下カッタと呼ぶ）を示す模式図を図１に示す。
【００１９】
記録装置１００は、例えばＲＦ−ＩＤ素子を内蔵したラベルがロール形状に巻かれた連続ラベル紙１０３を供給するロール給紙部１０１、供給された連続紙を記録部１０４の下部を搬送させる搬送部１０２、搬送される連続紙に例えば複数の記録ヘッドを用いて連続的にカラー記録する記録部１０４、通信可能範囲に入ってくる（メモリを含む電子回路を搭載し、情報を保持する）ＲＦ−ＩＤ素子へ情報の書き込み、読み込みするＲＦ−ＩＤリーダ／ライタ１０５、及び連続的なラベル紙を任意の指定位置で切断できるカッタ１０６から構成される。
【００２０】
本発明を実施した記録装置が使用する被記録媒体の例を図１１に示す。
【００２１】
例えばメモリを含む電子回路を搭載し、該メモリに情報を保持するＲＦ−ＩＤ等の素子１１０４を内蔵したタグが付けられた複数のラベル１１０３がほぼ等間隔に台紙１１０２上に仮付けされ、ロール状の連続ラベル紙１１０１として用いられる。
【００２２】
本発明を実施した上記記録装置１００の電気的なブロック図を図１２に示す。
【００２３】
ホストコンピュータ（ホストＰＣ）１２００は、記録に使用する記録データを記録装置１００のインタフェイスコントローラ１２０２に転送して記録開始を指示する。
【００２４】
ＣＰＵ（中央演算処理装置：Ｃｅｎｔｒａｌ　Ｐｒｏｃｅｓｓｉｎｇ　Ｕｎｉｔ）１２０１は記録データの受信、記録動作、ＲＦ−ＩＤタグの情報を読み取り又はＲＦ−ＩＤタグに情報を書き込むＲＦ−ＩＤ（Ｒａｄｉｏ　Ｆｒｅｑｕｅｎｃｙ　Ｉｄｅｎｔｉｆｉｃａｔｉｏｎ）リーダ／ライタの制御、そして記録媒体（用紙）のハンドリング等全般の制御を掌る演算処理装置である。
【００２５】
ＣＰＵ１２０１はホストＰＣ１２００から受信したコマンドを解析後、記録データの各色成分のイメージデータをイメージメモリ１２０４にビットマップ展開して描画する。
【００２６】
記録前の動作処理としてＣＰＵ１２０１は入出力回路１２１０、駆動部１２２０を介して図示しないキャッピングモータと記録ヘッドアップダウンモータを駆動し、記録ヘッド２０３のキャッピングを解除し、記録位置に移動させる。
【００２７】
さらに、駆動部１２２０を介してＲＦ−ＩＤ素子１２１２内蔵のラベル用紙等を繰り出す給紙モータ１２２２、及び定速度で用紙を搬送する搬送モータ１２２３等を駆動し用紙を記録位置に搬送する。
【００２８】
定速度で搬送される用紙の記録タイミングを決定するための先端検知センサ１２０７でラベル先端位置を検出する。
【００２９】
その後用紙搬送に同期して、ＣＰＵ１２０１はイメージメモリ１２０４から対応する色のイメージデータを順次読み出し、記録ヘッド制御回路１２１４を介して、記録ヘッド１０４Ｋ、１０４Ｃ、１０４ＬＣ、１０４Ｍ、１０４ＬＭ、及び１０４Ｙに順次データ転送し、各々の記録ヘッドが持つ多数のノズルから記録データに基づき、選択的にインクを吐出させ、カラー記録する。
【００３０】
前述の通り、Ｋ：ブラック、Ｃ：シアン、ＬＣ：淡シアン、Ｍ：マジェンタ、ＬＭ：淡マジェンタ、Ｙ：イエローを意味する。
【００３１】
ＣＰＵ１２０１の動作はプログラムＲＯＭ１２０３に記憶された処理プログラムに基づき、実行される。
【００３２】
プログラムＲＯＭ１２０３には後述する制御フローに対応する処理プログラム及びテーブルなどが記憶されている。
【００３３】
又作業用のメモリとしてワークＲＡＭ１２０５を使用する。
【００３４】
ＥＥＰＲＯＭ１２０６は不揮発性のメモリで記録ヘッド相互の微小記録位置調整値等、装置固有のパラメータを記憶する。
【００３５】
ＲＦ−ＩＤ素子１２１２内のメモリへ通信アンテナ１２１３を介して情報の書き込み、読み込みを行なうＲＦ−ＩＤリーダ／ライタ１０５とＣＰＵ１２０１は例えば非同期のシリアルインタフェース、又はバス形式の入出力（Ｉ／Ｏ）を介して接続される。
【００３６】
又カッタ１０６には用紙送り方向のカット位置をより正確に決定するためのラベル先端、後端を検知するカット位置センサ１２０８、記録動作中継続的に回転し用紙のカット動作時のみ、トリガソレノイド１２２４が動作して、回転刃（図示せず）と連結され、瞬時に回転刃を駆動するカッタモータ１２２１等を備えている。
【００３７】
インク満タン検知センサ１２０９は図示しないサブタンク内に備えたセンサで、各インクの色毎に独立して検知する。
【００３８】
サブタンクはインクを補給するインクカートリッジからインクを受け、一旦貯蔵するバッファの役目をし、インク補給時に、もしサブタンク内の満タン検知センサ１２０９が一定時間検知しなければインクカートリッジが空と判断し、該当する色のインクカートリッジ交換を促す。
【００３９】
ＣＰＵ１２０１は色毎にインク満タン検知センサ１２０９の出力をＡＤコンバータ１２１１で読み取ることが出来る。
【００４０】
次に、記録装置１００の排紙側に取り付けられたカッタ１０６を用いて連続ラベル紙１０３を切断している模式図を図２に示す。
【００４１】
カッタ１０６は、ホストＰＣ１２００から送られてきた記録データやカッタ制御を行なうコマンドなどに従って、記録装置１００と同期して、記録された連続紙を所定の箇所で切断する。
【００４２】
前記コマンドにおいて所定切断間隔を例えば３とした場合、用紙サイズや搬送速度など各諸条件やテーブルで用意された切断タイミングなどによって、例えばＲＦ−ＩＤリーダ／ライタ１０５によるデータ書き込み成功品２０１を３枚間隔で切断する（図２（Ａ）参照）。
【００４３】
一方、データ書き込み失敗品が発生した場合、ＣＰＵ１２０１はＲＦ−ＩＤリーダ／ライタ１０５からＲＦ−ＩＤ素子のメモリへの書き込み失敗のコマンドを受信する。
【００４４】
この場合、成功品と区別するため、ＣＰＵ１２０１はカッタ１０６の制御を行なって書き込み失敗品２０２のラベルを連続ラベル紙から１枚毎切断する（図２（Ｂ）参照）。
【００４５】
同様に、カッタ１０６で連続紙を切断する状態２を示す模式図を図３に示す。
【００４６】
図１の装置と同様の手段を用いて連続ラベル紙１０３を切断している状態を示しており、図２に示した状態と比較して、ホストＰＣ１２００から転送されてきたコマンドが異なった場合の処理を表している。
【００４７】
例えば、前記コマンドにおいて連続ラベル紙からラベルを一枚ずつ切断する場合、所定切断間隔を１とし、用紙サイズや搬送速度など各諸条件やテーブルで用意された切断タイミングによって、カッタ１０６により連続ラベル紙１０３は、例えばＲＦ−ＩＤリーダ／ライタ１０５によるデータ書き込み成功品ラベル３０１を１枚毎に切断する（図３（Ａ）参照）。
【００４８】
一方、データ書き込み失敗品のラベルが発生した場合、図２の例と同様、ＣＰＵ１２０１はＲＦ−ＩＤリーダ／ライタ１０５からＲＦ−ＩＤ素子への書き込み失敗のコマンドを受信する。
【００４９】
この場合、成功品のラベルと区別するため、ＣＰＵ１２０１はカッタ１０６の制御を行なってデータ書き込み失敗品ラベル３０２を含むラベル２枚毎切断する（図３（Ｂ）参照）。
【００５０】
図３では失敗処理用の切断所定枚数を２としたが、該切断所定枚数をＮ枚（Ｎは２以上の整数）として設定することも可能である。
【００５１】
エラー処理における切断所定枚数の設定は、ホストから転送されるコマンド内で指定する場合、またテーブルとして予め指定する場合など、どちらでも設定を行なうことができ、これに対応した失敗処理用の所定枚数切断タイミングにより、切断することが可能である。
【００５２】
実施例１におけるＣＰＵ１２０１の動作フローを図４に示す。
【００５３】
これらの動作フローに対応するプログラムがＲＯＭ１２０３に記憶され、該プログラムに基づき、ＣＰＵ１２０１が処理動作を実行する。
【００５４】
記録装置１００にカッタ１０６を備え、連続紙を用いて被記録媒体表面への記録、及び内蔵するＲＦ−ＩＤ素子のメモリへの情報の書き込みを並行して行なう場合、先ず切断枚数の設定を行なう（４０１）。
【００５５】
連続ラベル紙が搬送され（４０２）、ＲＦ−ＩＤ素子を内蔵した被記録媒体が通信アンテナ１２１３との通信範囲内に入る（４０３）と通信開始され、データの書き込みがＲＦ−ＩＤ素子のメモリに行なわれる（４０４）。
【００５６】
ＣＰＵ１２０１はデータ書き込みが成功したか否かチェックを行ない（４０５）、成功した場合には予め設定された切断枚数分用紙が搬送される（４０８）とカッタ１０６によりラベルの切断処理が行われる（４０９）。
【００５７】
一方、データ書き込みが失敗した場合には、ＣＰＵ１２０１がＲＦ−ＩＤリーダ／ライタからコマンドを受信（４０６）し、失敗処理用の切断枚数に設定変更する（４０７）。
【００５８】
データ書き込みの成功品と失敗品とでラベルの切断個所（切断する枚数単位）が異なるので、ラベルの数を見れば、成功品のラベルと失敗品のラベルの仕分けを行なうことが可能となる。
【００５９】
ホストコンピュータから送られてきたデータが全て終了すると（４１０）、用紙搬送も停止し（４１１）、次の処理まで待機する。
【００６０】
（第２の実施例）
本発明における記録装置１００と剥離装置５０６を示す模式図を図５に示す。
【００６１】
記録装置１００の排紙側に剥離装置５０６を備え、ラベルの台紙からの剥離動作が可能である。
【００６２】
尚電気的なブロック図は図１２とほぼ同様であり、説明は省略する。
【００６３】
剥離装置によりラベルを剥離する状態を図６に示す。
記録装置１００の排紙側に取り付けられた剥離装置５０６を用いてラベル紙である被記録媒体１０３を剥離している状態を示している（図６（Ｂ）参照）。
【００６４】
媒体表面への記録と内蔵されたＲＦ−ＩＤ素子へのデータ書き込みを行なったラベル紙１０３において、データ書き込み失敗が発生した場合、ＣＰＵ１２０１はＲＦ−ＩＤリーダ／ライタ１０５からＲＦ−ＩＤ素子への書き込み失敗のコマンドを受信する。
【００６５】
書き込み失敗コマンドを受信した場合、失敗品のラベルのみを区別できるように台紙からラベルを剥離する。
【００６６】
例えば、該当ラベルが剥離装置５０６に到達した時剥離レバ６００を押し上げ台紙のスロープ変化を大きくすることによって図６（Ｂ）の様に書き込み失敗品のラベル６０１は台紙から剥離できる。
【００６７】
書き込み失敗品のラベル６０１を剥離位置で蓄積する場合と、図６（Ｂ）の状態で一時停止する処理も考えられる。
【００６８】
剥離レバ６００の動作は図示しないソレノイド等を用いて駆動する。
【００６９】
また、実施例２において、データ書き込み失敗品を剥離する例を挙げたが、データ記録成功品のラベルを剥離して貼り付ける作業を行なうような場合には、データ記録失敗品ラベルは剥離することなく台紙につけたままにすることも可能である。
【００７０】
実施例２における処理の流れを図７に示す。
【００７１】
ラベル紙が搬送され（７０１）、ＲＦ−ＩＤタグを内蔵した被記録媒体が通信アンテナ１２１３との通信範囲内に入る（７０２）と通信が開始され、データの書き込みが行なわれる（７０３）。
【００７２】
書き込み終了後に、データ書き込みが成功したか否かチェックを行なう（７０４）。
【００７３】
データ書き込みが失敗した場合には、ＣＰＵ１２０１がＲＦ−ＩＤリーダ／ライタからコマンドを受信（７０５）し、失敗処理用の剥離操作を行なう（７０６）。
【００７４】
データ書き込み成功品のラベルと失敗品のラベルとで剥離されるか否か異なるので、仕分けを行なうことが可能となる。
【００７５】
指定記録枚数の記録動作が全て終了すると（７０７）、搬送動作も停止し（７０８）、次の処理まで待機する。
【００７６】
（第３の実施例）
実施例３における記録装置と仕分け装置の模式図を図８に示す。
【００７７】
本発明の記録装置は実施例１がラベル等の連続紙を扱うものに対し１枚毎のカット紙を扱う。
【００７８】
給紙部８０１、排紙部８０６の電気的な構成は図１２と多少異なるが記録装置本体部はほぼ同じである。
【００７９】
給紙部８０１はカット紙を１枚毎分離、ピックアップするモータ（図示せず）を備え、排紙部は図１２のカッタモータ１２２１が排紙トレイをアップダウンさせるモータに代用できる。
【００８０】
給紙部８０１に積載されたカード等のカット紙８０３は１枚毎に分離、ピックアップされ記録装置本体搬送部８０２に給送される。
記録装置本体内部の構造、動作は実施例１とほぼ同じであり、省略する。
【００８１】
排紙部８０６には２段の排紙トレイが備えられる。
【００８２】
排紙部の仕分け状態を示す模式図を図９に示す。
【００８３】
記録装置の排紙側に取り付けられた２段のトレイを用いてカット紙である被記録媒体８０３を仕分けしている状態を示している。
【００８４】
カット紙に内蔵するＲＦ−ＩＤタグへのデータ書き込みにおいて、失敗品のカードが発生した場合は、ＣＰＵ１２０１はＲＦ−ＩＤリーダ／ライタ１０５から書き込み失敗のコマンドを受信する。
【００８５】
書き込み失敗コマンドを受信した場合、ＣＰＵ１２０１は、排紙トレイを上昇させ、（図９（Ｂ）参照）、書き込み失敗した被記録媒体９０１を下側のトレイに積載する。
【００８６】
通常動作では定位置に待機しており（図９（Ａ）参照）、データ記録成功品カード９０２と区別できる。
【００８７】
第３の実施例では、仕分け手段としてトレイ操作により仕分けを行なったが、これ以外にも可動式フラップを用いて、搬送先を変更するなど、他の手段を用いて仕分け先変更を行なっても、本実施例を実現可能である。
【００８８】
本発明実施例３における処理の流れを図１０のフローに示す。
【００８９】
かかるフローに対応するプログラムが記憶され、前述と同様にＣＰＵにより実行され、処理が行われる。
【００９０】
カット紙が搬送され（１００１）、ＲＦ−ＩＤタグと通信アンテナ１２１３との通信範囲内に入る（１００２）と通信が開始され、ＲＦ−ＩＤリーダ／ライタ１０５からＲＦ−ＩＤタグへデータの書き込みが行なわれる（１００３）。
【００９１】
データ書き込み終了後に、書き込みが成功したか否かチェックを行う（１００４）。
【００９２】
データ記録が失敗した場合には、ＣＰＵ１２０１はＲＦ−ＩＤリーダ／ライタ１０５から書き込み失敗のコマンドを受信（１００５）し、失敗時の処理を行なう（１００６）。
【００９３】
失敗時の処理とは図９で述べたように、例えば下段のスタッカ（排紙トレイ）に書き込み失敗の被記録媒体（カット紙）をスタックする処理を指す。成功した場合は、上段のスタッカに排紙される。
【００９４】
データ記録の成功品と失敗品とでスタックする排紙先が異なるので、明白に区別できる。
【００９５】
所望枚数の記録動作が全て終了すると（１００７）、搬送動作も停止し（１００８）、次の処理まで待機する。
【００９６】
（その他の実施例）
前記実施例はそれぞれ排他的に実施されるだけでなく、例えばカッタを用いて記録媒体を切断した後、排紙先を変更するなど、各々の実施例を組み合せて実施することも可能である。
【００９７】
【発明の効果】
以上説明したように、本発明によれば、例えばＲＦ−ＩＤタグ等の通信素子を内蔵する被記録媒体に、記録装置を用いて被記録媒体表面への記録と通信素子への書き込みを並行して行なう場合、データ書き込みの成功品と失敗品とを即時区別することが可能となり、記録、及びデータ書き込みされた被記録媒体に対する信頼度が格段に高められる。
【００９８】
【図面の簡単な説明】
【図１】本発明を実施した記録装置と切断装置を示す模式図である。
【図２】切断装置により連続紙を切断する状態を示す模式図である。
【図３】切断装置により連続紙を切断する状態を示す模式図である。
【図４】実施例１における処理の流れ図である。
【図５】実施例２における画像記録装置と剥離装置を示す模式図である。
【図６】剥離手段によりラベルを剥離する状態を示す模式図である。
【図７】実施例２における処理の流れ図である。
【図８】実施例３における画像記録装置と仕分け装置を示す
模式図である。
【図９】仕分け手段により仕分けする状態を示す模式図である。
【図１０】実施例３における処理の流れ図である。
【図１１】ラベル紙に内蔵されたＲＦ−ＩＤタグを示す図である。
【図１２】本発明を実施した記録装置の電気的なブロック図を示す。
【符号の説明】
１０１　　ロール給紙部
１０２　　搬送部
１０３　　被記録媒体
１０４　　記録ヘッド
１０５　　ＲＦ−ＩＤリーダ／ライタ
１０６　　カッタ
２０１　　データ書き込み成功品
２０２　　データ書き込み失敗品
３０１　　データ書き込み成功品
３０２　　データ書き込み失敗品
５０６　　剥離装置
６０１　　データ書き込み失敗品
６０２　　データ書き込み成功品
８０１　　給紙部
８０２　　搬送部
８０３　　被記録媒体（カット紙）
８０４　　記録ヘッド
８０５　　ＲＦ−ＩＤリーダ／ライタ
８０６　　排紙部（仕分け手段）
９０１　　データ記録失敗品
９０２　　データ記録成功品
１１０１　　ラベルロール紙
１１０２　　台紙
１１０３　　ラベル
１１０４　　ＲＦ−ＩＤタグ
１２００　　ホストコンピュータ（ホストＰＣ）
１２０１　　ＣＰＵ（Ｃｅｎｔｒａｌ　Ｐｒｏｃｅｓｓｉｎｇ　Ｕｎｉｔ）
１２０２　　インタフェースコントローラ
１２０３　　プログラムＲＯＭ
１２０４　　イメージメモリ
１２０５　　ワークＲＡＭ
１２０６　　ＥＥＰＲＯＭ
１２０７　　先端検知センサ
１２０８　　カット位置センサ
１２０９　　インク満タンセンサ
１２１０　　入出力ポート（Ｉ／Ｏ）
１２１１　　Ａ／Ｄコンバータ
１２１２　　ＲＦ−ＩＤタグ
１２１３　　通信アンテナ
１２１４　　記録ヘッド制御回路
１２２１　　カッタモータ
１２２２　　給紙モータ
１２２３　　搬送モータ
１２２４　　カッタトリガソレノイド
【図１】
2004070784.tif 000003
【図２】
2004070784.tif 000004
【図３】
2004070784.tif 000005
【図４】
2004070784.tif 000006
【図５】
2004070784.tif 000007
【図６】
2004070784.tif 000008
【図７】
2004070784.tif 000009
【図８】
2004070784.tif 000010
【図９】
2004070784.tif 000011
【図１０】
2004070784.tif 000012
【図１１】
2004070784.tif 000013
【図１２】
2004070784.tif 000014